(57)【要約】【課題】スクロール操作における利便性を向上させることが可能な表示制御装置、表示制御プログラム及び表示制御方法を提供する。【解決手段】本発明に係る表示制御装置１００は、表示部２２と、表示制御部４とを備える。前記表示部２２は、複数のリスト画像２４０と、スクロールバー２２２と、スライダー２２１とを含む画像をリスト画面２４５として表示する。前記表示制御部４は、複数のリスト画像２４０の表示形態と、スライダー２２１の表示形状とを制御する。前記表示制御部４は、前記リスト画面２４５に表示され得るリスト画像２４０の総数、またはスライダー２２１の表示形状に基づいて、複数のリスト画像２４０の表示形態と、スライダー２２１の表示形状とを変更する。【選択図】図３
2019185208.tif 000002
【特許請求の範囲】
【請求項１】
複数のリスト画像と、スクロールバーと、スライダーとを含む画像をリスト画面として表示する表示部と、
前記複数のリスト画像の表示形態と、前記スライダーの表示形状とを制御する表示制御部と
を備え、
前記表示制御部は、前記リスト画面に表示され得る前記リスト画像の総数、または前記スライダーの表示形状に基づいて、前記複数のリスト画像の表示形態と、前記スライダーの表示形状とを変更する、表示制御装置。
【請求項２】
記憶部をさらに備え、
前記記憶部は、前記スライダーに対する操作頻度を含む操作履歴を示すデータを記憶し、
前記表示制御部は、前記操作頻度が規定の閾値以上の場合に、前記複数のリスト画像の表示形態と、前記スライダーの表示形状とを変更する、請求項１に記載の表示制御装置。
【請求項３】
前記表示制御部は、前記リスト画面と異なる他の画面から前記リスト画面に画面遷移したか否かを判定し、
前記表示制御部は、前記他の画面から前記リスト画面に画面遷移したと判定した場合に、前記複数のリスト画像の表示形態と、前記スライダーの表示形状とを変更する、請求項１または２に記載の表示制御装置。
【請求項４】
受付部と、前記表示部とを有するタッチパネル部をさらに備え、
前記受付部は、ユーザーから指示を受け付け、
前記表示制御部は、前記画面遷移したと判定した後、前記受付部が、前記スクロールバーまたは前記スライダーに対するタッチ操作と、前記表示形態と前記表示形状とを変更する旨を示す指示とを受け付けた場合に、前記複数のリスト画像の表示形態と、前記スライダーの表示形状とを変更する、請求項３に記載の表示制御装置。
【請求項５】
前記表示制御部は、前記タッチ操作を受け付けた際に、前記タッチ操作を受け付けた範囲を示す指押下サイズを算出し、
前記表示制御部は、前記指押下サイズと前記スライダーの表示形状とに基づいて、前記表示形態と前記表示形状との変更の要否を判定する、請求項４に記載の表示制御装置。
【請求項６】
前記表示制御部は、前記複数のリスト画像の表示形態を、変更前のリスト画像の高さより、変更後のリスト画像の高さが低くなるように変更し、
前記表示制御部は、前記スライダーの表示形状を、変更前のスライダーの高さより、変更後のスライダーの高さが高くなるように変更する、請求項１〜５の何れか１項に記載の表示制御装置。
【請求項７】
前記表示制御部は、前記複数のリスト画像の表示形態を、変更前のリスト画像の幅を１／ｎ（ｎは２以上の自然数）にし、前記リスト画面をｎ列のリスト画像の表示を含むように変更し、
前記表示制御部は、前記スライダーの表示形状を、変更前のスライダーの高さより、変更後のスライダーの高さが高くなるように変更する、請求項１〜５の何れか１項に記載の表示制御装置。
【請求項８】
前記表示制御部は、前記複数のリスト画像の表示形態を、変更前の一のリスト画像と隣接する他のリスト画像との間の境界領域の幅より、変更後の一のリスト画像と隣接する他のリスト画像との間の境界領域の幅を狭くするように変更し、
前記表示制御部は、前記スライダーの表示形状を、変更前のスライダーの高さより、変更後のスライダーの高さが高くなるように変更する、請求項１〜５の何れか１項に記載の表示制御装置。
【請求項９】
表示制御装置を制御するプログラムをコンピューターに実行させる表示制御プログラムであって、
複数のリスト画像と、スクロールバーと、スライダーとを含む画像をリスト画面として表示する表示ステップと、
前記複数のリスト画像の表示形態と、前記スライダーの表示形状とを制御する表示制御ステップと
を含み、
前記表示制御ステップでは、リスト画面に表示され得るリスト画像の総数、または前記スライダーの表示形状に基づいて、前記複数のリスト画像の表示形態と、前記スライダーの表示形状とを変更する、表示制御プログラム。
【請求項１０】
表示制御装置を制御する表示制御方法であって、
複数のリスト画像と、スクロールバーと、スライダーとを含む画像をリスト画面として表示する表示ステップと、
前記複数のリスト画像の表示形態と、前記スライダーの表示形状とを制御する表示制御ステップとを含み、
前記表示制御ステップでは、リスト画面に表示され得るリスト画像の総数、または前記スライダーの表示形状に基づいて、前記複数のリスト画像の表示形態と、前記スライダーの表示形状とを変更する、表示制御方法。
【発明の詳細な説明】
【技術分野】
【０００１】
本発明は、表示制御装置、表示制御方法及プログラム及び表示制御方法に関する。
【背景技術】
【０００２】
従来、表示装置においては、表示部に表示されている画像等が表示対象の全体  の画像等の中でどの位置にあるのかを示すために、スクロールバーと、スライダーとを表示させるものがある。また、スクロールバーを利用し、表示装置の操作性を高めるための発明も種々提案されている（例えば、特許文献１参照）。
【先行技術文献】
【特許文献】
【０００３】
【特許文献１】特開２００４−１３９３２１号公報
【発明の概要】
【発明が解決しようとする課題】
【０００４】
しかしながら、スマートフォン等の携帯機器において表示対象の画像等が多量にあるときは、スライダーが狭小に表示される場合が生じる。この場合は、スライダーを的確に操作することが困難となり、スクロール操作における利便性が損なわれる。
【０００５】
本発明は上記課題に鑑みてなされたものであり、スクロール操作における利便性を向上させることが可能な表示制御装置、表示制御プログラム及び表示制御方法を提供することを目的とする。
【課題を解決するための手段】
【０００６】
本発明に係る表示制御装置は、表示部と、表示制御部とを備える。前記表示部は、複数のリスト画像と、スクロールバーと、スライダーとを含む画像をリスト画面として表示する。前記表示制御部は、複数のリスト画像の表示形態と、スライダーの表示形状とを制御する。前記表示制御部は、リスト画面に表示され得るリスト画像の総数、またはスライダーの表示形状に基づいて、複数のリスト画像の表示形態と、スライダーの表示形状とを変更する。
【０００７】
本発明に係る表示制御プログラムは、表示制御装置を制御するプログラムをコンピューターに実行させる表示制御プログラムであって、表示ステップと、表示制御ステップとを含む。前記表示ステップでは、複数のリスト画像と、スクロールバーと、スライダーとを含む画像をリスト画面として表示する。前記表示制御ステップでは、複数のリスト画像の表示形態と、スライダーの表示形状とを制御する。前記表示制御ステップでは、リスト画面に表示され得るリスト画像の総数、またはスライダーの表示形状に基づいて、複数のリスト画像の表示形態と、スライダーの表示形状とを変更する。
【０００８】
本発明に係る表示制御方法は、表示制御装置を制御する表示制御方法であって、表示ステップと、表示制御ステップとを含む。前記表示ステップでは、複数のリスト画像と、スクロールバーと、スライダーとを含む画像をリスト画面として表示する。前記表示制御ステップでは、複数のリスト画像の表示形態と、スライダーの表示形状とを制御する。前記表示制御ステップでは、リスト画面に表示され得るリスト画像の総数、またはスライダーの表示形状に基づいて、複数のリスト画像の表示形態と、スライダーの表示形状とを変更する。
【発明の効果】
【０００９】
本発明によれば、スクロール操作における利便性を向上させることが可能になる。
【図面の簡単な説明】
【００１０】
【図１】本発明の実施形態に係る表示制御装置を示す図である。
【図２】表示部に表示されるリスト画面の一例である。
【図３】表示部に表示される複数のリスト画像の表示形態の変更を含むリスト画面の第１変更例である。
【図４】表示部に表示される複数のリスト画像の表示形態の変更を含むリスト画面の第２変更例である。
【図５】表示部に表示される複数のリスト画像の表示形態の変更を含むリスト画面の第３変更例である。
【図６】図６（ａ）及び図６（ｂ）は、表示部に表示されている複数のリスト画像を含むリスト画面を変更するタイミングを説明するための図である。
【図７】表示制御部によるリスト画面の表示制御を示すフローチャートである。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１〜図７を参照して、本発明の実施形態に係る表示制御装置１００について説明する。はじめに、図１と図２とを参照して、表示制御装置１００の各部の機能について説明する。図１は、本発明の実施形態に係る表示制御装置１００を示す図である。図２は、表示部に表示されるリスト画面の一例である。
【００１３】
表示制御装置１００は、画像等を一覧表示させる画面において、画像等の表示形態を制御することにより、スクロール操作における利便性を向上させ得る装置である。表示制御装置１００は、表示装置または表示機能を有する電子機器の一部として用いられる。表示制御装置１００は、例えば、スマートフォンまたはパソコンの一部として用いられる。
【００１４】
表示制御装置１００は、タッチパネル部２と、記憶部３と、表示制御部４とを備える。図１に示すＹ軸は、タッチパネル部２の長辺と平行である。Ｙ軸は、左右方向を示す。Ｘ軸は、タッチパネル部２の短辺と平行である。Ｘ軸は、上下方向を示す。
【００１５】
タッチパネル部２は、ユーザーから指示を受け付ける。また、タッチパネル部２は、画像を表示する。タッチパネル部２は矩形状を有していてもよい。タッチパネル部２は、受付部２１と、表示部２２とを含む。表示部２２は、スクロール操作のためのスクロールバー２２２及びスライダー２２１の表示を含む。
【００１６】
受付部２１は、ユーザーによる操作を介して種々の指示を受け付ける。特に、受付部２１は、ユーザーから、スクロールバー２２２またはスライダー２２１へのタッチ操作を受け付ける。受付部２１は、透明であり、表示部２２に重なるように配置されている。
【００１７】
表示部２２は、画面を含み、画面に任意の画像を表示する。特に、表示部２２は、複数のリスト画像２４０と、スクロールバー２２２と、スライダー２２１とを含む画像をリスト画面として表示する。ここで、「リスト画像」とは、複数のデータファイルのうち、一つのデータファイルに関する情報を示す画像をいう。なお、リスト画像２４０には、リスト画像２４０を表示するための表示領域を示す画像を含んでいてもよい。ここで、「データファイル」とは、画像データ、テキストデータまたは音声データ等が格納されているファイルをいう。また、「データファイルに関する情報」とは、例えば、ファイル名、更新年月日、ファイル種類またはデータサイズをいう。
【００１８】
表示部２２は、液晶表示装置であってもよく、有機ＥＬ表示装置であってもよい。ユーザーは表示部２２の画面に表示された画像を視認しながら、受付部２１を介して指示を入力することができる。
【００１９】
記憶部３は、制御プログラムと、複数のデータファイルと、変更モードフラグとを記憶する。制御プログラムは、例えば、表示制御部４が実行する表示制御プログラムを含む。
【００２０】
変更モードフラグには、「１」と「０」とが記憶される。変更モードフラグの値が「１」の場合は、自動変更モードを表す。「自動変更モード」とは、予め設定した変更内容で、複数のリスト画像２４０の表示形態と、スライダー２２１の表示形状とを変更するモードをいう。以下、「複数のリスト画像の表示形態と、スライダーの表示形状」を「複数のリスト画像の表示形態など」とも記載する。一方、変更モードフラグの値が「０」の場合は、確認変更モードを表す。「確認変更モード」とは、複数のリスト画像２４０の表示形態などの変更についてユーザーから指示を受け付けるモードをいう。
【００２１】
さらに、記憶部３は、ユーザーのスライダー２２１に対する操作の頻度を含む操作履歴を示すデータを記憶する。記憶部３は、例えば、ユーザーＩＤで特定されるユーザーについて、スライダー２２１を操作した回数が記憶される。
【００２２】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。さらに、記憶部３は、ソリッドステートドライブ（Ｓｏｌｉｄ  Ｓｔａｔｅ  Ｄｒｉｖｅ：ＳＳＤ）を備えていてもよい。
【００２３】
表示制御部４は、記憶部３に記憶されている表示制御プログラムを実行することにより、表示制御装置１００全体の動作を制御する。特に、表示制御部４は、表示部２２に表示するリスト画面２４５を制御する。表示制御部４は、ＣＰＵ（Ｃｅｎｔｒａｌ  Ｐｒｏｃｅｓｓｉｎｇ  Ｕｎｉｔ）のようなプロセッサーによって構成されてもよい。また、表示制御部４は、表示制御装置１００を動作させる集積回路を備えていてもよい。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成されてもよい。
【００２４】
表示制御部４は、リスト画面２４５に表示する複数のリスト画像２４０の表示形態と、スライダー２２１の表示形状とを制御する。特に、表示制御部４は、複数のデータファイルのファイル数、またはスライダー２２１の表示形状に基づいて、複数のリスト画像２４０の表示形態と、スライダー２２１の表示形状との変更を制御する。
【００２５】
例えば、表示制御部４は、データファイルのファイル数が予め規定した数を超えた場合、またはスライダー２２１の表示形状が予め規定した大きさを下回った場合に、「変更条件を満たした」と判定して、複数のリスト画像２４０の表示形態と、スライダー２２１の表示形状との変更を制御する。より具体的には、表示制御部４は、データファイルのファイル数が予め規定した「１００」を超えた場合、またはスライダー２２１のＸ方向の高さ２２１ａが、リスト画面２４５のＸ方向の高さの「５％」を下回った場合に、「変更条件を満たした」と判定してもよい。なお、上記の「１００」及び「５％」の値については、ユーザーが設定し、または変更できるように構成されてもよい。
【００２６】
さらに、表示制御部４は、記憶部３に記憶されているユーザーのスライダー２２１に対する操作回数を含む操作履歴を示すデータを読み出し、スライダー２２１に対する操作回数が予め規定した閾値を超えているか否かを判定してもよい。そして、表示制御部４は、操作回数が予め規定した閾値を超えていると判定した場合に、複数のリスト画像２４０の表示形態と、スライダー２２１の表示形状とを変更するように制御してもよい。なお、操作回数の閾値についてユーザーが設定し、または変更できるように構成されてもよい。
【００２７】
さらにまた、表示制御部４は、リスト画面２４５とは異なる他の画面からリスト画面２４５に画面遷移したと判定した場合に、複数のリスト画像２４０の表示形態と、スライダー２２１の表示形状とを変更するように制御してもよい。ここで、表示制御部４は、「リスト画面とは異なる他の画面からリスト画面に画面遷移した」か否かの判定は、遷移後の画面において、スクロールバー２２２及びスライダー２２１の表示があるか否かによって判定することが可能である。つまり、表示制御部４は、スクロールバー２２２及びスライダー２２１の表示の必要がある画面に遷移した場合は、「リスト画像に遷移した」と判定することができる。
【００２８】
その上、表示制御部４は、画面遷移したと判定した後、受付部２１を介して、スライダー２２１に対するタッチ操作と、複数のリスト画像２４０の表示形態とスライダー２２１の表示形状とを変更する旨を示す指示とを受け付けた場合に、複数のリスト画像２４０の表示形態と、スライダー２２１の表示形状とを変更するように制御することもできる。
【００２９】
なお、表示制御部４は、受付部２１を介してタッチ操作を受け付けた際に、タッチ操作を受け付けた範囲を示す指押下サイズを算出してもよい。ここで、「指押下サイズ」とは、タッチ操作時に指示として受け付けた範囲をいう。例えば、指押下サイズをタッチ操作によって指示として受け付けた範囲を示すピクセル数で表してもよい。そして、表示制御部４は、指押下サイズとスライダー２２１の表示形状とに基づいて、複数のリスト画像２４０の表示形態と、スライダー２２１の表示形状との変更の要否を判定してもよい。
【００３０】
次に、図２を参照して、リスト画面の制御について具体的に説明する。まず、リスト画面２４５に表示される複数のリスト画像２４０と、スクロールバー２２２と、スライダー２２１とについて説明する。
【００３１】
表示制御部４は、表示部２２におけるリスト画面２４５に表示する画像等を制御する。図２に示すように、表示部２２には、例えば、フォルダー画像２３０とリスト画面２４５とが表示される。リスト画面２４５には、例えば、複数のリスト画像２４０と、スライダー２２１と、スクロールバー２２２とが表示される。
【００３２】
フォルダー画像２３０は、ユーザーによって選択されたフォルダーの名前（例えば、「ユーザーＢＯＸ」）と、リスト画像２４０の番号２３１と、フォルダーに収容されているリスト画像２４０の総数２３２とを含む。リスト画像２４０の番号２３１は、スライダー２２１の位置に応じて変更される数値である。リスト画像２４０の総数２３２は、フォルダーに収容されているリスト画像２４０の数に応じて変更される数値である。
【００３３】
さらに、表示制御部４は、表示部２２がリスト画面２４５にスライダー２２１とスクロールバー２２２とを表示するように表示部２２を制御する。また、表示制御部４は、リスト画面２４５において、ユーザーによるスクロール操作に応じてスライダー２２１を上下方向に移動させるように制御する。表示制御部４は、スライダー２２１を、矩形状のスクロールバー２２２の内部に表示する。
【００３４】
スライダー２２１は、スクロールバー２２２の内部をＸ軸方向に移動する。スライダー２２１をＸ軸方向に移動させることで、リスト画面２４５に表示する複数のリスト画像２４０をＸ軸方向にスクロールさせながら変更することができる。また、スクロールバー２２２がＹ軸方向に表示される場合、スライダー２２１は、スクロールバー２２２の内部をＹ軸方向に移動する。スライダー２２１をＹ軸方向に移動させることで、リスト画面２４５の表示をＹ軸方向にスクロールさせながら変更することができる。
【００３５】
表示制御部４は、表示部２２がスライダー２２１の位置に対応するリスト画像２４０をリスト画面２４５に表示するように表示部２２を制御する。この結果、スライダー２２１のスクロール操作によって、ユーザーの望むリスト画像２４０を探すことが可能となる。
【００３６】
次に、図３から図５を参照して、表示制御部４が、複数のリスト画像の表示形態を変更する場合の具体例について説明する。図３は、表示部に表示される複数のリスト画像の表示形態の変更を含むリスト画面２４５の第１変更例である。図３に示すように、表示制御部４は、リスト画面２４５のＸ方向に、図２に表示されるリスト画像２４０と比べてより多くのリスト画像２４１を表示させるようにリスト画像２４１の表示形態を変更している。
【００３７】
さらに、表示制御部４は、リスト画像２４１の表示形態を変更することによって、スライダー２２１の形状を変更している。具体的には、表示制御部４は、複数のリスト画像２４１の表示形態を、変更前のリスト画像２４０の高さ２４０ａより変更後のリスト画像２４１の高さ２４１ａが低くなるように変更する。さらにまた、表示制御部４は、スライダー２２１の表示形状を、変更前のスライダー２２１の高さ２２１ａより、変更後のスライダー２２１の高さ２２１ａが高くなるように変更する。
【００３８】
より詳細に説明すると、表示制御部４は、リスト画像２４１の高さ２４１ａを図２に示されるリスト画像２４０の高さ２４０ａより低く変更するように制御する。例えば、表示制御部４は、リスト画像２４１の高さ２４１ａを図２に示されるリスト画像２４０の高さ２４０ａの２／３になるように制御する。さらに、表示制御部４は、図２に示されるリスト画像２４０より、２行多くリスト画像２４１を表示するように制御する。さらにまた、表示制御部４は、２行多くリスト画像２４１を表示したことにより、スライダー２２１の表示形状を、Ｘ方向に、図２に表示されるリスト画像２４０と比べてより高くなるように表示を変更する。ここで、スライダー２２１における高さの変更分は、２行分増加したリスト画像２４１に対応している。
【００３９】
図４は、表示部に表示される複数のリスト画像の表示形態の変更を含むリスト画面の第２変更例である。具体的には、表示制御部４は、リスト画面のＹ方向に複数の列のリスト画像２４２を表示するようにリスト画像２４２の表示形態を変更する。さらに、表示制御部４は、リスト画像２４２の表示形態の変更に連動させて、スライダー２２１の形状を大きくするように変更する。具体的には、表示制御部４は、図２に示されるリスト画像２４０の幅を１／ｎ（ｎは２以上の自然数）にし、リスト画面２４５をｎ列のリスト画像２４２の表示を含むように変更する。さらにまた、表示制御部４は、スライダー２２１の表示形状を、変更前のスライダー２２１の高さ２２１ａより、変更後のスライダー２２１の高さ２２１ａが高くなるように変更する。
【００４０】
より詳細に説明すると、表示制御部４は、図２に示されるリスト画像２４０の幅の１／２になるように、リスト画像２４２の幅を制御する。さらに、表示制御部４は、２列でリスト画像２４２を表示するように制御する。さらにまた、表示制御部４は、２列でリスト画像２４２を表示したことにより、スライダー２２１の表示形状を、Ｘ方向により高くなるように表示を変更する。ここで、スライダー２２１における高さの変更分は、１列分増加（すなわち、４行分増加）させて表示したリスト画像２４２に対応している。
【００４１】
なお、表示制御部４は、リスト画像２４０の幅を１／ｎ（ｎは２以上の自然数）にし、リスト画面２４５をｎ列のリスト画像２４２の表示を含むように変更することに限定されない。例えば、表示制御部４は、リスト画面２４５において、ｎ列のリスト画像２４２の表示から（ｎ＋１）列のリスト画像の表示になるように変更してもよい。この場合、表示制御部４は、リスト画像２４２の幅を（ｎ／ｎ＋１）になるように制御し、スライダー２２１における高さの変更分は、１列分増加させて表示したリスト画像に対応するように変更してもよい。
【００４２】
図５は、表示部２２に表示される複数のリスト画像の表示形態の変更を含むリスト画面の第３変更例である。図５に示すように、表示制御部４は、リスト画面にＸ方向に、図２に表示されるリスト画像２４０と比べてより多くのリスト画像２４３を表示させるようにリスト画像２４３の表示形態を変更する。さらに、表示制御部４は、リスト画像２４３の表示形態を変更することによって、スライダー２２１の形状を変更する。具体的には、表示制御部４は、複数のリスト画像の表示形態を、図２に示される変更前のリスト画像２４０と、隣接する他のリスト画像２４０との間の幅２４０ｂより、図５に示される変更後のリスト画像２４３と、隣接する他のリスト画像２４３との間の幅２４３ｂを狭くするように変更する。さらにまた、表示制御部４は、スライダー２２１の表示形状を、図２に示される変更前のスライダー２２１の高さ２２１ａより、図５に示される変更後のスライダー２２１の高さ２２１ａが高くなるように変更する。
【００４３】
より詳細に説明すると、表示制御部４は、例えば、図２に示される、隣接するリスト画像２４０同士間の幅２４０ｂが１／３になるように制御する。さらに、表示制御部４は、リスト画像２４３を１行増加させて表示するように制御する。さらにまた、表示制御部４は、リスト画像２４３を１行増加して表示させたことにより、スライダー２２１の表示形状を、Ｘ方向に、図２に表示されるスライダー２２１と比べてより高くなるように表示を変更する。ここで、図５に示されるスライダー２２１における高さの変更分は、１行分増加させて表示したリスト画像２４２に対応している。
【００４４】
次に、図６を参照して、表示制御部４が、表示部２２に表示されている複数のリスト画像を含むリスト画面２４５を変更するタイミングについて説明する。図６（ａ）及び図６（ｂ）は、表示部に表示されている複数のリスト画像を含むリスト画面を変更するタイミングを説明するための図である。表示制御部４は、本発明の制御対象であるリスト画面２４５と異なる他の画面からリスト画面２４５に画面遷移したと判定したタイミングで、複数のリスト画像２４０の表示形態と、スライダー２２１の表示形状とを変更するように制御する。さらに、表示制御部４は、リスト画面２４５に画面遷移したと判定した後であって、受付部２１において、ユーザーからスライダー２２１に対するタッチ操作を受け付け、かつ、複数のリスト画像２４０の表示形態と、スライダー２２１の表示形状とを変更する旨を示す指示とを受け付けた場合に、複数のリスト画像２４０の表示形態と、スライダー２２１の表示形状とを変更する。
【００４５】
まず、図６（ａ）に示すように、表示制御部４は、本発明の制御対象であるリスト画面２４５と異なる他の画面からリスト画面２４５に画面遷移した後に、受付部２１を介してユーザーからスライダー２２１に対するタッチ操作を受け付ける。このタッチ操作を受け付けると、表示制御部４は、図６（ｂ）に示すように、新たに変更確認画面２５０を表示する。表示制御部４は、変更確認画面２５０を視認したユーザーから受付部２１を介してＹＥＳボタン２５１の押下を受け付けた場合は、複数のリスト画像２４０の表示形態と、スライダー２２１の表示形状とを変更する。一方、表示制御部４は、変更確認画面２５０を視認したユーザーから受付部２１を介してＮＯボタン２５２の押下を受け付けた場合は、複数のリスト画像２４０の表示形態と、スライダー２２１の表示形状との変更は行わない。
【００４６】
図２から図７を参照して、表示制御部による複数のリスト画像の表示形態を変更する制御について説明する。図７は、表示制御部によるリスト画面の表示制御を示すフローチャートである。図７に示すように、表示制御部４は、ステップＳ１〜ステップＳ１９の処理を実行することによって、複数のリスト画像の表示形態及びスライダーの表示形状の変更を制御する。
【００４７】
ステップＳ１：表示制御部４は、リスト画面２４５に遷移したか否かを判定する。画面が遷移したと表示制御部４が判定した場合は（ステップＳ１でＹｅｓ）、処理は、ステップＳ３に進む。なお、リスト画面２４５に遷移していないと表示制御部４が判定した場合は（ステップＳ１でＮｏ）、処理は、リスト画面２４５に遷移するまで待機する。
【００４８】
ステップＳ３：表示制御部４は、記憶部３に記憶されている変更モードフラグを参照し、自動変更モードを示す値である「１」か否かを判定する。変更モードフラグの値が「１」であると表示制御部４が判定した場合は（ステップＳ３でＹｅｓ）、処理は、ステップ５に進む。変更モードフラグの値が「１」ではないと表示制御部４が判定した場合は（ステップＳ３でＮｏ）、処理は、ステップＳ９に進む。
【００４９】
ステップＳ５：表示制御部４は、記憶部３に記憶されている操作履歴データを参照して、スライダー２２１の操作頻度を確認する。ユーザーのスライダー２２１の操作頻度が予め規定した閾値以上であると表示制御部４が判定した場合は（ステップＳ５でＹｅｓ）、処理は、ステップＳ７に進む。なお、ユーザーのスライダー２２１の操作頻度が予め規定した閾値未満であると表示制御部４が判定した場合は（ステップＳ５でＮｏ）、本処理を終了する。この場合、表示制御部４は、このユーザーはスライダー２２１の操作回数が少なく、スライダー２２１が狭小となったとしても、その影響は小さいと判定している。
【００５０】
ステップＳ７：表示制御部４は、遷移後のリスト画面２４５における表示について、変更条件を満たすか否かを判定する。変更条件を満たすと表示制御部４が判定した場合は（ステップＳ７でＹｅｓ）、処理は、ステップＳ２１に進む。なお、変更条件を満たさないと表示制御部４が判定した場合は（ステップＳ７でＮｏ）、本処理を終了する。
【００５１】
ステップＳ９：表示制御部４は、リスト画面２４５のスライダー２２１にタッチ操作があるが否かを判定する。スライダー２２１にタッチ操作があると表示制御部４が判定した場合は（ステップＳ９でＹｅｓ）、処理は、ステップＳ１１に進む。なお、スライダー２２１にタッチ操作がないと表示制御部４が判定した場合は（ステップＳ９でＮｏ）、表示制御部４は、スライダー２２１にタッチ操作があるまで待機する。
【００５２】
ステップＳ１１：表示制御部４は、ユーザーによるタッチ操作に基づいて、指押下サイズを取得し、処理は、ステップＳ１３に進む。
【００５３】
ステップＳ１３：表示制御部４は、指押下サイズが予め規定した閾値を満たすか否かを判定する。指押下サイズが閾値以上であると表示制御部４が判定した場合は（ステップＳ１３でＹｅｓ）、処理は、ステップＳ１５に進む。なお、指押下サイズが閾値未満であると表示制御部４が判定した場合は（ステップＳ１３でＮｏ）、本処理を終了する。この場合、表示制御部４は、このユーザーの指押下サイズは小さく、スライダー２２１の形状との対比で、スライダー２２１の操作において利便性は損なわれないと判定している。
【００５４】
ステップＳ１５：表示制御部４は、遷移後のリスト画面２４５における表示について、変更条件を満たすか否かを判定する。変更条件を満たすと表示制御部４が判定した場合は（ステップＳ１５でＹｅｓ）、処理は、ステップＳ１７に進む。なお、変更条件を満たさないと表示制御部４が判定した場合は（ステップＳ１５でＮｏ）、本処理を終了する。
【００５５】
ステップＳ１７：表示制御部４は、表示部２２に変更確認画面を表示させ、ユーザーから、複数のリスト画像２４０の表示形態などを変更するか否かの指示を待つ。
【００５６】
ステップＳ１９：表示制御部４は、ユーザーから複数のリスト画像２４０の表示形態などの変更を行うか否かの指示を受け付ける。表示制御部４は、ユーザーから複数のリスト画像２４０の表示形態などを変更する旨の指示を受け付けた場合は（ステップＳ１９でＹｅｓ）、処理は、ステップＳ２１に進む。表示制御部４は、ユーザーから複数のリスト画像２４０の表示形態などの変更はしない旨の指示を受け付けた場合は（ステップＳ１９でＮｏ）、本処理を終了する。
【００５７】
ステップＳ２１：表示制御部４は、予め決定された内容に従って、複数のリスト画像２４０の表示形態を変更するとともに、スライダー２２１の表示形状を変更し、本処理を終了する。
【００５８】
なお、ステップＳ５及びステップＳ１１は、スキップするように構成されてもよい。
【００５９】
図１〜図７を参照して説明したように、表示制御装置１００は、複数のデータファイルのファイル数、またはスライダー２２１の表示形状に基づいて、複数のリスト画像２４０の表示形態を変更し、リスト画像２４０の表示形態の変更に連動させてスライダー２２１の表示形状を大きくなるように制御したので、狭小なスライダー２２１が画面に表示された場合であっても、スライダー２２１の容易な操作を可能にし、スクロール操作における利便性を向上させことができる。
【００６０】
以上、図面（図１〜図７）を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００６１】
さらに、本発明は、本発明に係る表示制御装置の特徴的な構成手段をステップとする表示制御方法として実現したり、それらのステップを含むプログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００６２】
本発明は、表示制御装置、表示制御プログラム及び表示制御方法の分野に利用可能である。
【符号の説明】
【００６３】
２        タッチパネル部
３        記憶部
４        表示制御部
２１      受付部
２２      表示部
１００    表示制御装置
２２１    スライダー
２２１ａ  スライダーの高さ
２２２    スクロールバー
２４０，２４１，２４２，２４３  リスト画像
２４０ａ，２４１ａ    リスト画像の高さ
２４５    リスト画面
【図１】
2019185208.tif 000003
【図２】
2019185208.tif 000004
【図３】
2019185208.tif 000005
【図４】
2019185208.tif 000006
【図５】
2019185208.tif 000007
【図６】
2019185208.tif 000008
【図７】
2019185208.tif 000009